(57)【要約】【課題】  小型であり、光コネクタに光ファイバがあてがわれた状態であっても光ファイバの被保持態勢を測定することができる光コネクタ測定装置を提供する。【解決手段】  光源２０は、光コネクタ１００の軸方向Ａに交差する方向に配置されている。光コネクタ保持器１０は、光源２０からの測定光を光コネクタ１００の基準孔部１０１ｃに入射するように軸方向Ａに変向および反射する測定光反射部１３を有している。【選択図】  図４
2010271632.tif 000002
【特許請求の範囲】
【請求項１】
軸方向に貫通し光ファイバを保持する光ファイバ保持部と、軸方向に貫通した基準孔部とを有する光コネクタにおける光ファイバの被保持態勢を測定する光コネクタ測定装置であって、
光コネクタを保持する光コネクタ保持器と、測定光を出射する光源と、光コネクタの軸方向前端側に配置され、前記光コネクタ保持器に保持された光コネクタの軸方向後端に照射された前記測定光が基準孔部を通過してなる通過光ならびに前記光ファイバ保持部に保持された光ファイバの端面画像を撮像する撮像部とを有し、前記撮像部による撮像結果に基づいて光コネクタにおける光ファイバの被保持態勢を測定する光コネクタ測定装置において、
前記光源は、光コネクタの軸方向に交差する方向に配置されており、
前記光コネクタ保持器は、前記光源からの測定光を光コネクタの基準孔部に入射するように光コネクタの軸方向に変向および反射する測定光反射部を有することを特徴とする光コネクタ測定装置。
【請求項２】
前記光コネクタ保持器に保持された光コネクタの軸方向に直交する方向に配置され、該光コネクタ保持器に保持された光コネクタの前端から突出する光ファイバの画像を撮像する第２の撮像部をさらに有し、光コネクタにおける光ファイバの被保持態勢の因子として、前記第２の撮像部による撮像結果に基づいて光コネクタ前端からの光ファイバの突出量をも測定する請求項１に記載の光コネクタ測定装置。
【請求項３】
軸方向に貫通し光ファイバを保持する光ファイバ保持部と、軸方向に貫通した基準孔部とを有する光コネクタにおける光ファイバの被保持態勢を測定する光コネクタ測定方法であって、
光コネクタを保持する工程と、測定光を出射する工程と、保持された光コネクタの軸方向後端に照射された前記測定光が基準孔部を通過してなる通過光ならびに光ファイバ保持部に保持された光ファイバの端面画像を撮像する工程とを有し、通過光ならびに光ファイバ保持部に保持された光ファイバの端面画像の撮像結果に基づいて光コネクタにおける光ファイバの被保持態勢を測定する光コネクタ測定方法において、
光コネクタの軸方向に交差する方向から出射した測定光を光コネクタの基準孔部に入射するように光コネクタの軸方向に変向および反射することを特徴とする光コネクタ測定方法。
【請求項４】
保持された光コネクタの前端から突出する光ファイバの画像を撮像する工程をさらに有し、光コネクタにおける光ファイバの被保持態勢の因子として、光コネクタの前端から突出する光ファイバの画像の撮像結果に基づいて光コネクタ前端からの光ファイバの突出量をも測定する請求項３に記載の光コネクタ測定方法。
【発明の詳細な説明】
【技術分野】
【０００１】
本発明は、光コネクタの製造過程において、光コネクタにおける光ファイバの被保持態勢を測定する光コネクタ測定装置に関する。
【背景技術】
【０００２】
この種の光コネクタ測定装置に関連する技術は、例えば、特許文献１に開示されている。特許文献１に開示された光コネクタ測定装置は、光コネクタに形成され光ファイバを保持する光ファイバ穴の偏心を測定するものである。光コネクタには、光ファイバ穴に平行にガイド穴が形成されている。この光コネクタ測定装置は、光コネクタを保持すると共に、光コネクタの後端側に配置された光源が出射する測定光を光コネクタの後端に照射し、光コネクタの前端からガイド穴および光ファイバ穴を経た通過光を画像処理することにより、光ファイバ穴の光コネクタに対する偏心を測定している。
【先行技術文献】
【特許文献】
【０００３】
【特許文献１】特許第３７７８０９０号公報
【発明の概要】
【発明が解決しようとする課題】
【０００４】
特許文献１に開示された光コネクタ測定装置は、元々、光コネクタに光ファイバがあてがわれる前にハウジングに形成された穴の位置を測定するものであるが、仮に、光コネクタに光ファイバがあてがわれた状態で測定しようとすると、光コネクタの後端側に光源が配置されているため、光コネクタの後端側に存在する光ファイバが測定光を遮る虞がある。そして、測定光を遮らないように光ファイバを固定する作業は煩雑である。
【０００５】
また、装置に保持した光コネクタの後端に測定光を照射するため、光源を含めてみれば、光コネクタ測定装置が大型になる。
【０００６】
それ故、本発明の課題は、小型であり、光コネクタに光ファイバがあてがわれた状態であっても光ファイバの被保持態勢を測定することができる光コネクタ測定装置を提供することである。
【０００７】
本発明の他の課題は、光コネクタに光ファイバがあてがわれた状態であっても光ファイバの被保持態勢を測定することができ、光ファイバを固定する作業を簡単にできる光コネクタ測定装置を提供することである。
【課題を解決するための手段】
【０００８】
本発明によれば、軸方向に貫通し光ファイバを保持する光ファイバ保持部と、軸方向に貫通した基準孔部とを有する光コネクタにおける光ファイバの被保持態勢を測定する光コネクタ測定装置であって、光コネクタを保持する光コネクタ保持器と、測定光を出射する光源と、光コネクタの軸方向前端側に配置され、前記光コネクタ保持器に保持された光コネクタの軸方向後端に照射された前記測定光が基準孔部を通過してなる通過光ならびに前記光ファイバ保持部に保持された光ファイバの端面画像を撮像する撮像部とを有し、前記撮像部による撮像結果に基づいて光コネクタにおける光ファイバの被保持態勢を測定する光コネクタ測定装置において、前記光源は、光コネクタの軸方向に交差する方向に配置されており、前記光コネクタ保持器は、前記光源からの測定光を光コネクタの基準孔部に入射するように光コネクタの軸方向に変向および反射する測定光反射部を有することを特徴とする光コネクタ測定装置が得られる。
【０００９】
本発明によればまた、軸方向に貫通し光ファイバを保持する光ファイバ保持部と、軸方向に貫通した基準孔部とを有する光コネクタにおける光ファイバの被保持態勢を測定する光コネクタ測定方法であって、光コネクタを保持する工程と、測定光を出射する工程と、保持された光コネクタの軸方向後端に照射された前記測定光が基準孔部を通過してなる通過光ならびに光ファイバ保持部に保持された光ファイバの端面画像を撮像する工程とを有し、通過光ならびに光ファイバ保持部に保持された光ファイバの端面画像の撮像結果に基づいて光コネクタにおける光ファイバの被保持態勢を測定する光コネクタ測定方法において、光コネクタの軸方向に交差する方向から出射した測定光を光コネクタの基準孔部に入射するように光コネクタの軸方向に変向および反射することを特徴とする光コネクタ測定方法が得られる。
【発明の効果】
【００１０】
本発明による光コネクタ測定装置は、小型であり、光コネクタに光ファイバがあてがわれた状態であっても光ファイバの被保持態勢を測定することができ、光ファイバを固定する作業を簡単にできる。
【００１１】
また、本発明による光コネクタ測定方法は、光コネクタに光ファイバがあてがわれた状態であっても光ファイバの被保持態勢を測定することができる。
【図面の簡単な説明】
【００１２】
【図１】本発明の実施例による光コネクタ測定装置の測定対象である光コネクタを示す斜視図である。
【図２】（ａ）および（ｂ）は、図１に示された光コネクタの切断線２Ａ−２Ａに沿った断面図および切断線２Ｂ−２Ｂに沿った断面図である。
【図３】本発明の実施例１による光コネクタ測定装置を示す斜視図である。
【図４】図３に示された光コネクタ測定装置の切断線４−４に沿った断面図である。
【図５】本発明の実施例２による光コネクタ測定装置を示す斜視図である。
【図６】図５に示された光コネクタ測定装置の切断線６−６に沿った断面図である。
【発明を実施するための形態】
【００１３】
以下、図面を参照して本発明による光コネクタ測定装置ならびに本装置を用いた光コネクタ測定方法の一実施例を説明する。
【００１４】
まず、測定対象である光コネクタ１００について説明する。
【００１５】
図１および図２を参照すると、光コネクタ１００は、ハウジング１０１と、クランプ部材１０３と、ハウジング１０１に保持された光ファイバーコード１０２とを有している。
【００１６】
光ファイバーコード１０２は、複数の光ファイバが並列してなる。尚、図１および図２において、光ファイバーコード１０２は、ハウジング１０１にあてがわれているのみで未固定の状態である。
【００１７】
ハウジング１０１は、その軸方向Ａの前端に形成された図示しない相手光コネクタと嵌合する嵌合孔部１０１ａと、被覆が剥がされた光ファイバーコード１０２の光ファイバ１０２ａを支持する光ファイバ保持部１０１ｂと、嵌合孔部１０１ａの内部の四隅に形成された基準孔部１０１ｃとを備えている。
【００１８】
［実施例１］
本発明の実施例１による光コネクタ測定装置について説明する。
【００１９】
図３ならびに図４を参照すると、本光コネクタ測定装置は、光コネクタ１００における光ファイバーコード１０２（の光ファイバ１０２ａ）の被保持態勢を測定する光コネクタ測定装置であり、光コネクタ保持器１０と、光源２０と、撮像部３０とを有している。
【００２０】
光コネクタ保持器１０は、光コネクタ１００を保持するものであり、光コネクタ１００が載置される支持ベース１１と、支持ベース１１と協働して光コネクタ１００を押圧保持する押さえ部材１２（コイルスプリング等は、図示せず）とを備えている。
【００２１】
光源２０は、測定光を出射するものであり、例えば、ハロゲンランプ、キセノンランプ、あるいは複数のＬＥＤによって構成される。
【００２２】
撮像部３０は、光コネクタ１００の軸方向Ａ前端側に配置され、光コネクタ保持器１０に保持された光コネクタ１００の軸方向Ａ後端に照射された測定光が４つの基準孔部１０１ｃを通過してなる通過光と、光ファイバ保持部１０１ｂに保持された光ファイバーコード１０２の端面画像とを撮像するものであり、例えば、ＣＣＤカメラによって構成される。撮像部３０は、例えばパーソナルコンピュータと専用ソフトウェアによって構成された図示しない演算部に接続されている。
【００２３】
そして、撮像部３０による撮像結果に基づいて、演算部が画像判定を行い、光コネクタ１００における光ファイバーコード１０２（の光ファイバ１０２ａ）の被保持態勢を測定する。
【００２４】
光コネクタの組立作業者は、光コネクタ１００における光ファイバーコード１０２（の光ファイバ１０２ａ）の被保持態勢の測定結果を確認しながら光ファイバ１０２ａが正規の態勢となるように調整し、その状態で光ファイバ１０２ａを例えば紫外線硬化接着剤を用いて光ファイバ保持部１０１ｂに固定する。
【００２５】
さて、本光コネクタ測定装置は特に、光源２０が光コネクタ１００の軸方向Ａに交差する方向に配置されている。尚、本例では、光源２０が軸方向Ａに対して垂直方向に配置されているが、垂直以外の角度に配置されてもよい。また、光コネクタ保持器１０が、光源２０からの測定光を光コネクタ１００の４つの基準孔部１０１ｃに入射するように光コネクタ１００の軸方向Ａに変向および反射する測定光反射部１３を有している。
【００２６】
次に、図３ならびに図４を参照して、本光コネクタ測定装置を用いた光コネクタ測定方法を説明する。
【００２７】
まず、光コネクタ１００が光コネクタ保持器１０によって保持される。
【００２８】
光源２０から測定光が出射される。光源２０からの測定光は、光コネクタ保持器１０の測定光反射部１３によって軸方向Ａに変向および反射され、光コネクタ１００の後端から４つの基準孔部１０１ｃに入射される。
【００２９】
撮像部３０は、測定光が４つの基準孔部１０１ｃを通過してなる通過光と、光ファイバ保持部１０１ｂに保持された光ファイバーコード１０２（の光ファイバ１０２ａ）の端面画像とを撮像する。撮像部３０に接続された図示しない演算部は、所定の画像処理を行い、光ファイバーコード１０２（の光ファイバ１０２ａ）の被保持態勢を測定する。
【００３０】
光コネクタの組立作業者は、光コネクタ１００における光ファイバーコード１０２（の光ファイバ１０２ａ）の被保持態勢の測定結果を確認しながら光ファイバ１０２ａが正規の態勢となるように調整し、その状態で光ファイバ１０２ａを例えば紫外線硬化接着剤を用いて光ファイバ保持部１０１ｂに固定する。
【００３１】
［実施例２］
本発明の実施例２による光コネクタ測定装置は、第２の撮像部を有している点が、実施例１とは異なる。このため、実施例１と同一部または同様部は、詳細な説明を省略する。
【００３２】
図５および図６を参照すると、本光コネクタ測定装置は、光コネクタ１００における光ファイバーコード１０２（の光ファイバ１０２ａ）の被保持態勢を測定する光コネクタ測定装置であり、光コネクタ保持器１０と、光源２０と、撮像部３０とを有している。
【００３３】
撮像部３０は、光コネクタ１００の軸方向Ａ前端側に配置され、光コネクタ保持器１０に保持された光コネクタ１００の軸方向Ａ後端に照射された測定光が４つの基準孔部１０１ｃを通過してなる通過光と、光ファイバ保持部１０１ｂに保持された光ファイバーコード１０２の端面画像とを撮像するものであり、例えば、ＣＣＤカメラによって構成される。撮像部３０は、例えばパーソナルコンピュータと専用ソフトウェアによって構成された図示しない演算部に接続されている。
【００３４】
光源２０は、光コネクタ１００の軸方向Ａに交差する方向に配置されている。尚、本例では、光源２０が軸方向Ａに対して垂直方向に配置されているが、垂直以外の角度に配置されてもよい。
【００３５】
また、光コネクタ保持器１０は、光源２０からの測定光を光コネクタ１００の４つの基準孔部１０１ｃに入射するように光コネクタ１００の軸方向Ａに変向および反射する測定光反射部１３を有している。
【００３６】
さて、本光コネクタ測定装置は特に、光コネクタ保持器１０に保持された光コネクタ１００の軸方向Ａに直交する方向に配置され、光コネクタ保持器１０に保持された光コネクタ１００の前端から突出する光ファイバーコード１０２（の光ファイバ１０２ａ）の画像を撮像する第２の撮像部４０をさらに有している。第２の撮像部４０も、例えば、ＣＣＤカメラによって構成される。撮像部４０は、撮像部３０と同様に、図示しない演算部に接続されている。
【００３７】
第２の撮像部４０は光源２０の近傍に配置しても良いし、また第２の撮像部４０と光源２０とを一体形成しても良い。
【００３８】
光コネクタ１００における光ファイバの被保持態勢の因子として、撮像部３０による撮像結果に加え、第２の撮像部４０による撮像結果に基づいて、演算部が画像判定を行い、光コネクタ１００における光ファイバーコード１０２（の光ファイバ１０２ａ）の被保持態勢を測定する。尚、第２の撮像部４０による撮像結果から、光コネクタ１０の前端からの光ファイバーコード１０２（の光ファイバ１０２ａ）の突出量が測定される。
【００３９】
光コネクタの組立作業者は、光コネクタ１００における光ファイバーコード１０２（の光ファイバ１０２ａ）の被保持態勢の測定結果を確認しながら光ファイバ１０２ａが正規の態勢となるように調整し、その状態で光ファイバ１０２ａを例えば紫外線硬化接着剤を用いて光ファイバ保持部１０１ｂに固定する。
【００４０】
次に、図５および図６を参照して、本光コネクタ測定装置を用いた光コネクタ測定方法を説明する。
【００４１】
まず、光コネクタ１００が光コネクタ保持器１０によって保持される。
【００４２】
光源２０から測定光が出射される。光源２０からの測定光は、光コネクタ保持器１０の測定光反射部１３によって軸方向Ａに変向および反射され、光コネクタ１００の後端から４つの基準孔部１０１ｃに入射される。
【００４３】
撮像部３０は、測定光が４つの基準孔部１０１ｃを通過してなる通過光と、光ファイバ保持部１０１ｂに保持された光ファイバーコード１０２（の光ファイバ１０２ａ）の端面画像とを撮像する。
【００４４】
第２の撮像部４０は、光コネクタ保持器１０に保持された光コネクタ１００の前端から突出する光ファイバーコード１０２（の光ファイバ１０２ａ）の画像を撮像する。
【００４５】
撮像部３０および第２の撮像部４０に接続された図示しない演算部は、所定の画像処理を行い、光コネクタ１００前端からの光ファイバーコード１０２（の光ファイバ１０２ａ）の突出量をも含む光ファイバーコード１０２（の光ファイバ１０２ａ）の被保持態勢を測定する。
【００４６】
光コネクタの組立作業者は、光コネクタ１００における光ファイバーコード１０２（の光ファイバ１０２ａ）の被保持態勢の測定結果を確認しながら光ファイバ１０２ａが正規の態勢となるように調整し、その状態で光ファイバ１０２ａを例えば紫外線硬化接着剤を用いて光ファイバ保持部１０１ｂに固定する。
【産業上の利用可能性】
【００４７】
以上、一実施例を挙げて本発明を説明してきたが、本発明がその要旨から逸脱しない限りは、種々に変形可能であることは言うまでもない。
【符号の説明】
【００４８】
１０    光コネクタ保持器
１１    支持ベース
１２    押さえ部材
１３    測定光反射部
２０    光源
３０    撮像部
４０    第２の撮像部
１００    光コネクタ
１０１    ハウジング
１０１ａ  嵌合孔部
１０１ｂ  光ファイバ保持部
１０１ｃ  基準孔部
１０２    光ファイバーコード
１０２ａ  光ファイバ
【図１】
2010271632.tif 000003
【図２】
2010271632.tif 000004
【図３】
2010271632.tif 000005
【図４】
2010271632.tif 000006
【図５】
2010271632.tif 000007
【図６】
2010271632.tif 000008